(57)【要約】【課題】あるジャンルを購入または予約の対象とするか否かをユーザが検討するときに、各地域におけるそのジャンルの商品の購買数またはサービスの予約数の多寡を、他の地域との比較においてユーザが明確に理解することができる情報を端末装置に表示させる。【解決手段】地域における商品の購買数または当該地域におけるサービスの予約数の少なくとも何れか一方を、商取引の成立数として示す取引情報を記憶する記憶手段と、予め定められたジャンルに属する商取引の対象である商品またはサービスの取引情報に基づいて、当該ジャンルにおける成立数に応じて各地域に対して順位を付ける順位付け手段と、順位付け手段により順位が付けられた地域の当該順位を示すオブジェクトが配置された地図を、端末装置に表示させる制御手段と、を備える。【選択図】図９
2013167917.tif 000002
【特許請求の範囲】
【請求項１】
端末装置がネットワークを介して接続可能なサーバ装置であって、
地域における商品の購買数または当該地域におけるサービスの予約数の少なくとも何れか一方を、商取引の成立数として示す取引情報を記憶する記憶手段と、
予め定められたジャンルに属する前記商取引の対象である商品またはサービスの前記取引情報に基づいて、当該ジャンルにおける前記成立数に応じて各前記地域に対して順位を付ける順位付け手段と、
前記順位付け手段により順位が付けられた前記地域の当該順位を示すオブジェクトが配置された地図を、前記端末装置に表示させる制御手段と、
を備えることを特徴とするサーバ装置。
【請求項２】
請求項１に記載のサーバ装置において、
前記記憶手段は、前記成立数の履歴を示す前記取引情報を記憶し、
前記順位付け手段は、前記取引情報が示す前記成立数の履歴に対応する複数の時点での前記順位を各前記地域に対して付け、
前記制御手段は、前記順位付け手段により付けられた前記順位の変遷に応じて前記オブジェクトが変化する前記地図の動画を、前記端末装置に表示させることを特徴とするサーバ装置。
【請求項３】
請求項１または請求項２に記載のサーバ装置において、
前記地域の居住者数を示す居住者数情報を記憶する居住者数情報記憶手段を更に備え、
前記順位付け手段は、前記ジャンルに属する前記商取引の対象の前記取引情報及び前記居住者数情報に基づいて、当該ジャンルにおける単位居住者数あたりの前記成立数に応じて各前記地域に対して順位を付けることを特徴とするサーバ装置。
【請求項４】
請求項１乃至３の何れか１項に記載のサーバ装置において、
前記端末装置により表示された前記オブジェクトが選択された場合に、選択された前記オブジェクトの表示位置に対応する前記地域を特定するための特定情報を前記端末装置から取得する取得手段を更に備え、
前記制御手段は、前記取得手段により取得された前記特定情報により特定される前記地域の前記取引情報に基づいて、前記ジャンルに属する前記商取引の対象のうち、当該地域において前記成立数が最も多い前記商取引の対象の情報を、前記端末装置に表示させることを特徴とするサーバ装置。
【請求項５】
請求項４に記載のサーバ装置において、
前記取得手段により取得された前記特定情報により特定される前記地域の前記取引情報に基づいて、前記成立数に応じて前記ジャンルに属する各前記商取引の対象に対して順位を付ける商取引対象順位付け手段を更に備え、
前記制御手段は、前記ジャンルに属する各前記商取引の対象を、前記商取引対象順位付け手段により付けられた順位に対応して示す情報を、前記端末装置に表示させることを特徴とするサーバ装置。
【請求項６】
端末装置がネットワークを介して接続可能なサーバ装置における表示制御方法であって、
地域における商品の購買数または当該地域におけるサービスの予約数の少なくとも何れか一方を、商取引の成立数として示す取引情報を、記憶手段に記憶させる記憶ステップと、
予め定められたジャンルに属する前記商取引の対象である商品またはサービスの前記取引情報に基づいて、当該ジャンルにおける前記成立数に応じて各前記地域に対して順位を付ける順位付けステップと、
前記順位付けステップにおいて順位が付けられた前記地域の当該順位を示すオブジェクトが配置された地図を、前記端末装置に表示させる制御ステップと、
を含むことを特徴とする表示制御方法。
【請求項７】
端末装置がネットワークを介して接続可能なサーバ装置に含まれるコンピュータに、
地域における商品の購買数または当該地域におけるサービスの予約数の少なくとも何れか一方を、商取引の成立数として示す取引情報を、記憶手段に記憶させる記憶ステップと、
予め定められたジャンルに属する前記商取引の対象である商品またはサービスの前記取引情報に基づいて、当該ジャンルにおける前記成立数に応じて各前記地域に対して順位を付ける順位付けステップと、
前記順位付けステップにおいて順位が付けられた前記地域の当該順位を示すオブジェクトが配置された地図を、前記端末装置に表示させる制御ステップと、
を実行させることを特徴とする表示制御プログラム。
【請求項８】
端末装置がネットワークを介して接続可能なサーバ装置に含まれるコンピュータに、
地域における商品の購買数または当該地域におけるサービスの予約数の少なくとも何れか一方を、商取引の成立数として示す取引情報を、記憶手段に記憶させる記憶ステップと、
予め定められたジャンルに属する前記商取引の対象である商品またはサービスの前記取引情報に基づいて、当該ジャンルにおける前記成立数に応じて各前記地域に対して順位を付ける順位付けステップと、
前記順位付けステップにおいて順位が付けられた前記地域の当該順位を示すオブジェクトが配置された地図を、前記端末装置に表示させる制御ステップと、
を実行させる表示制御プログラムがコンピュータ読み取り可能に記録されていることを特徴とする記録媒体。
【発明の詳細な説明】
【技術分野】
【０００１】
本発明は、商品の購買またはサービスの予約に関する情報を端末装置に表示させるためのサーバ装置、表示制御方法、表示制御プログラム及び記録媒体の技術分野に関する。
【背景技術】
【０００２】
近年、インターネット上での電子商取引が盛んに行われている。ユーザは、インターネットを利用することにより、自宅にいながら容易に商品を購入したり、サービスの利用予約を行ったりすることができる。そのような気軽さから、商品の購買意欲やサービスを予約する意欲を高めることができる。ところが、意欲は高まってはいるものの、そもそも如何なるジャンルの商品を購入対象とすべきか、または、如何なるジャンルのサービスを予約対象とすべきかを、ユーザが容易には決められない場合がある。
【０００３】
そこで、従来、こうした対象を絞り込むための技術が提案されている。例えば、特許文献１には、ユーザが操作するオンラインショッピング用端末が設置された地域の特産品を、売れ筋商品としてユーザに提示する技術が記載されている。
【先行技術文献】
【特許文献】
【０００４】
【特許文献１】特開２００６−３１４２０号公報
【発明の概要】
【発明が解決しようとする課題】
【０００５】
しかしながら、特定の地域の特産品であるというような、特定のジャンルに属することのみを基準として売れ筋商品を決めることが妥当であるとは限らない。各ジャンルの商品は、その用途や目的等に応じた需要がそれぞれ存在するからである。また、特定の地域の特産品というだけでは、そのジャンルの商品がその地域において実際に多く購入されているとは限らない。他の地域と比較すると、その特定の地域ではそれほど多くは購入されていないという場合がある。従って、特許文献１に記載の技術では、実際には売れ筋ではないジャンルの商品を、売れ筋商品として提示する可能性がある。
【０００６】
そこで、本発明は以上の点に鑑みてなされたものであり、あるジャンルを購入または予約の対象とするか否かをユーザが検討するときに、各地域におけるそのジャンルの商品の購買数またはサービスの予約数の多寡を、他の地域との比較においてユーザが明確に理解することができる情報を端末装置に表示させることを可能とするサーバ装置、表示制御方法、表示制御プログラム及び記録媒体を提供することを目的とする。
【課題を解決するための手段】
【０００７】
上記課題を解決するために、請求項１に記載の発明は、端末装置がネットワークを介して接続可能なサーバ装置であって、地域における商品の購買数または当該地域におけるサービスの予約数の少なくとも何れか一方を、商取引の成立数として示す取引情報を記憶する記憶手段と、予め定められたジャンルに属する前記商取引の対象である商品またはサービスの前記取引情報に基づいて、当該ジャンルにおける前記成立数に応じて各前記地域に対して順位を付ける順位付け手段と、前記順位付け手段により順位が付けられた前記地域の当該順位を示すオブジェクトが配置された地図を、前記端末装置に表示させる制御手段と、を備えることを特徴とする。
【０００８】
この発明によれば、予め定められたジャンルに属する商取引の対象の成立数に応じて各地域に対して順位が付けられ、この順位を示すオブジェクトが配置された地図が、端末装置に表示される。そのため、ユーザは、表示されたオブジェクトが示す順位により、各地域において他の地域と比較した商取引の成立数の多寡を、明確に理解することができる。
【０００９】
請求項２に記載の発明は、請求項１に記載のサーバ装置において、前記記憶手段は、前記成立数の履歴を示す前記取引情報を記憶し、前記順位付け手段は、前記取引情報が示す前記成立数の履歴に対応する複数の時点での前記順位を各前記地域に対して付け、前記制御手段は、前記順位付け手段により付けられた前記順位の変遷に応じて前記オブジェクトが変化する前記地図の動画を、前記端末装置に表示させることを特徴とする。
【００１０】
この発明によれば、地図に配置されたオブジェクトが、時間が経過するに従って変化することにより、商取引の対象の成立数に応じた順位の変遷が示される。そのため、ユーザは、各地域における商取引の成立数の多寡の変遷を容易に理解することができる。
【００１１】
請求項３に記載の発明は、請求項１または請求項２に記載のサーバ装置において、前記地域の居住者数を示す居住者数情報を記憶する居住者数情報記憶手段を更に備え、前記順位付け手段は、前記ジャンルに属する前記商取引の対象の前記取引情報及び前記居住者数情報に基づいて、当該ジャンルにおける単位居住者数あたりの前記成立数に応じて各前記地域に対して順位を付けることを特徴とする。
【００１２】
この発明によれば、表示されたオブジェクトにより、単位居住者数あたりの商取引の成立数に応じた地域の順位が示される。そのため、ユーザは、居住者数の多寡の影響を無くした状態で、各地域における商取引の成立数の多寡を理解することができる。
【００１３】
請求項４に記載の発明は、請求項１乃至３の何れか１項に記載のサーバ装置において、前記端末装置により表示された前記オブジェクトが選択された場合に、選択された前記オブジェクトの表示位置に対応する前記地域を特定するための特定情報を前記端末装置から取得する取得手段を更に備え、前記制御手段は、前記取得手段により取得された前記特定情報により特定される前記地域の前記取引情報に基づいて、前記ジャンルに属する前記商取引の対象のうち、当該地域において前記成立数が最も多い前記商取引の対象の情報を、前記端末装置に表示させることを特徴とする。
【００１４】
この発明によれば、予め定められたジャンルに属する商取引の対象のうち、ユーザが選択した地域で商取引の成立数が最も多い商取引の対象の情報が表示される。そのため、情報が表示された商取引の対象である商品を購入したり、サービスを予約したりする動機付けをユーザに与えることができる。
【００１５】
請求項５に記載の発明は、請求項４に記載のサーバ装置において、前記取得手段により取得された前記特定情報により特定される前記地域の前記取引情報に基づいて、前記成立数に応じて前記ジャンルに属する各前記商取引の対象に対して順位を付ける商取引対象順位付け手段を更に備え、前記制御手段は、前記ジャンルに属する各前記商取引の対象を、前記商取引対象順位付け手段により付けられた順位に対応して示す情報を、前記端末装置に表示させることを特徴とする。
【００１６】
この発明によれば、ユーザが選択した地域での商取引の成立数に応じて、予め定められたジャンルに属する商取引の対象が順位付けされた結果が表示される。そのため、各商取引の対象の順位に基づいて、ユーザは、購入する商品や予約するサービスを決めることができる。
【００１７】
請求項６に記載の発明は、端末装置がネットワークを介して接続可能なサーバ装置における表示制御方法であって、地域における商品の購買数または当該地域におけるサービスの予約数の少なくとも何れか一方を、商取引の成立数として示す取引情報を、記憶手段に記憶させる記憶ステップと、予め定められたジャンルに属する前記商取引の対象である商品またはサービスの前記取引情報に基づいて、当該ジャンルにおける前記成立数に応じて各前記地域に対して順位を付ける順位付けステップと、前記順位付けステップにおいて順位が付けられた前記地域の当該順位を示すオブジェクトが配置された地図を、前記端末装置に表示させる制御ステップと、を含むことを特徴とする。
【００１８】
請求項７に記載の発明は、端末装置がネットワークを介して接続可能なサーバ装置に含まれるコンピュータに、地域における商品の購買数または当該地域におけるサービスの予約数の少なくとも何れか一方を、商取引の成立数として示す取引情報を、記憶手段に記憶させる記憶ステップと、予め定められたジャンルに属する前記商取引の対象である商品またはサービスの前記取引情報に基づいて、当該ジャンルにおける前記成立数に応じて各前記地域に対して順位を付ける順位付けステップと、前記順位付けステップにおいて順位が付けられた前記地域の当該順位を示すオブジェクトが配置された地図を、前記端末装置に表示させる制御ステップと、を実行させることを特徴とする。
【００１９】
請求項８に記載の発明は、端末装置がネットワークを介して接続可能なサーバ装置に含まれるコンピュータに、地域における商品の購買数または当該地域におけるサービスの予約数の少なくとも何れか一方を、商取引の成立数として示す取引情報を、記憶手段に記憶させる記憶ステップと、予め定められたジャンルに属する前記商取引の対象である商品またはサービスの前記取引情報に基づいて、当該ジャンルにおける前記成立数に応じて各前記地域に対して順位を付ける順位付けステップと、前記順位付けステップにおいて順位が付けられた前記地域の当該順位を示すオブジェクトが配置された地図を、前記端末装置に表示させる制御ステップと、を実行させる表示制御プログラムがコンピュータ読み取り可能に記録されていることを特徴とする。
【発明の効果】
【００２０】
本発明によれば、予め定められたジャンルに属する商取引の対象の成立数に応じて各地域に対して順位が付けられ、この順位を示すオブジェクトが配置された地図が、端末装置に表示される。そのため、ユーザは、表示されたオブジェクトが示す順位により、各地域において他の地域と比較した商品の購買数の多寡またはサービスの予約数の多寡を、明確に理解することができる。
【図面の簡単な説明】
【００２１】
【図１】一実施形態に係る情報提供システムＳの概要構成の一例を示す図である。
【図２】動画再生画面１００の画面表示例である。
【図３】動画再生画面１００の画面表示例である。
【図４】動画再生画面１００の画面表示例である。
【図５】商品情報ウインドウ１４０の画面表示例である。
【図６】一実施形態に係る情報提供サーバ１の概要構成の一例を示すブロック図である。
【図７】一実施形態に係るＥＣサーバ２の概要構成の一例を示すブロック図である。
【図８】一実施形態に係るユーザ端末３の概要構成の一例を示すブロック図である。
【図９】一実施形態に係る情報提供サーバ１のシステム制御部１４における処理例を示すフローチャートである。
【図１０】一実施形態に係る情報提供サーバ１のシステム制御部１４におけるリクエスト対応処理の処理例を示すフローチャートである。
【発明を実施するための形態】
【００２２】
以下、図面を参照して本発明の実施形態について詳細に説明する。なお、以下に説明する実施の形態は、情報提供システムに対して本発明を適用した場合の実施形態である。
【００２３】
［１．情報提供システムの構成及び機能概要］
先ず、本実施形態に係る情報提供システムＳの構成及び概要機能について、図１乃至図５を用いて説明する。
【００２４】
図１は、本実施形態に係る情報提供システムＳの概要構成の一例を示す図である。
【００２５】
図１に示すように、情報提供システムＳは、サーバ装置の一例としての情報提供サーバ１と、ＥＣサーバ２と、端末装置の一例としての複数のユーザ端末３と、を含んで構成されている。
【００２６】
情報提供サーバ１と、ＥＣサーバ２と、各ユーザ端末３とは、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００２７】
情報提供サーバ１は、所定のＥＣ（Electronic Commerce）サイトにおいて、ユーザが季節ものの商品（商取引対象の一例）を購入する際に、購入する商品をユーザが決めるための参考となる情報を提供する情報提供サイトを構成するサーバ装置である。この情報提供サーバ１は、ユーザ端末３からのリクエストに応じて、参考となる情報のＷｅｂページを送信する。
【００２８】
また、情報提供サーバ１は、季節ものの商品の購買数に応じた各都道府県（本発明の地域の一例）のランキングの変遷を、商品のジャンル単位で示す地図の動画（以下、「地図動画」と称する）をユーザ端末３の画面に表示させる。この地図動画の表示のため、情報提供サーバ１は、地図動画の動画データ（以下、「地図動画データ」と称する）を生成する。そして、情報提供サーバ１は、生成した地図動画データを、例えば、ストリーミング方式でユーザ端末３に送信して、この地図動画データをユーザ端末３により再生させる。
【００２９】
ＥＣサーバ２は、上述したＥＣサイトを構成するサーバ装置である。このＥＣサイトは、複数の店舗がそれぞれ商品を販売するための電子商店街である。なお、ＥＣサイトは、例えば、単一の店舗や企業等が商品を販売するオンラインショッピングサイトであっても良いし、オークションサイトであっても良い。ＥＣサーバ２は、ユーザ端末３からのリクエストに応じて、商品に関するＷｅｂページの送信、商品の検索、商品の売買を成立させるための処理等を実行する。ユーザは、ＥＣサイトを利用することにより、商品を購入することができる。
【００３０】
ユーザ端末３は、ＥＣサイトで商品を購入したり、情報提供サイトで季節ものの商品に関する情報を閲覧するユーザに利用される端末装置である。ユーザ端末３は、例えば、パーソナルコンピュータ、ＰＤＡ（Personal Digital Assistant）、携帯電話機等である。
【００３１】
ここで、地図動画の画面表示について説明する。なお、以下の説明では、ユーザ操作にマウスが用いられているものとして説明する。
【００３２】
ユーザは、地図動画の再生に先だって、地図動画によりランキングを表示させる季節ものの商品のカテゴリー（以下、「季節カテゴリー」と称する）を選択することができる。情報提供サイトにおいては、商品の種類として、ジャンルと季節カテゴリーとが存在する。
【００３３】
商品のジャンルは、用途、機能、目的等に応じて商品を分類した種類である。全ての商品は、それぞれ１つ以上のジャンルに属する。
【００３４】
季節カテゴリーは、１年間に含まれるある一時期の間に良く購入されたり使用されたりするジャンルの商品を、その時期の商品（季節ものの商品）として、ジャンルを分類したカテゴリーである。例えば、夏物という季節カテゴリーには、アイスクリーム、女性用浴衣、蚊取り線香、うなぎ、扇風機等のジャンルが属する。あるジャンルは複数の季節カテゴリーに属する場合がある一方で、あるジャンルは何れの季節カテゴリーにも属さない場合がある。また、季節カテゴリーは、季節に直接関連するカテゴリー（例えば、春物、夏物、秋物、冬物、梅雨対策用等）のみに限られず、季節に直接関連するとは限らないイベントや時期（例えば、正月、入学時期、入社時期、ゴールデンウイーク、敬老の日、クリスマス等）に関するカテゴリーも含まれる。
【００３５】
図２乃至図４は、動画再生画面１００の画面表示例である。
【００３６】
ユーザは、例えば、季節ものの商品の購入を検討するため、情報提供サイトにおいて、検討対象とする季節カテゴリーを選択する。そうすると、ユーザ端末３の画面には、地図動画再生用のＷｅｂページ（以下、「動画再生用ページ」と称する）が表示される。この動画再生用ページ内には、図２に示すように、動画再生画面１００が表示される。動画再生画面１００には、見出しバー１１０、動画表示領域１２０、及び再生バー１３０が表示される。
【００３７】
動画表示領域１２０は、日本地図Ｍを含む地図動画が表示される領域である。動画再生用ページが表示された当初は、地図動画の再生は停止された状態である。このときの動画表示領域１２０には、日本地図Ｍが表示される。また、動画表示領域１２０は、複数のチェックボックス１２１が表示される。
【００３８】
チェックボックス１２１は、都道府県の購買数のランキングを示す後述するオブジェクトＪを表示させるジャンルを選択するためのチェックボックスである。チェックボックス１２１の見出し部分には、オブジェクトＪの色と、対応するジャンル名とが表示される。初期状態では、複数のチェックボックス１２１のうち、例えば、一番上に表示されているチェックボックス１２１のチェック状態が有効にされている（オブジェクトＪの表示が選択されている）。チェックボックス１２１とその見出しは、例えば、動画再生用ページのＨＴＭＬ（Hyper Text Markup Language）文書に記述されたformタグ等に基づいて動画表示領域１２０に表示されるものであり、地図動画の一部ではない。
【００３９】
なお、図２は、季節カテゴリーとして夏物が選択された場合の動画再生画面１００の表示例である。また、図２には、チェックボックス１２１として、アイスクリームに対応するチェックボックス１２１ａ、女性用浴衣に対応するチェックボックス１２１ｂ、及び蚊取り線香に対応するチェックボックス１２１ｃが表示されている。
【００４０】
再生バー１３０は、地図動画の再生に関する操作のための領域である。再生バー１３０には、再生制御ボタン１３１と、スライドバー１３２とが表示される。地図動画の再生が停止されている状態では、再生制御ボタン１３１として再生ボタン１３１ａが表示される。スライドバー１３２は、バー１３３とノブ１３４とを有する。初期状態では、ノブ１３４は、バー１３３の左端に位置している。そして、ノブ１３４は、地図動画が再生されるに従って、バー１３３に沿って右方向に徐々に移動する。ノブ１３４の表示位置によって地図動画の時間軸上における現在の再生位置が示されるとともに、現在の地図動画のオブジェクトＪによってランキングが表示されている日が示される。
【００４１】
地図動画によってランキングの変遷を表示させる対象となる期間（以下、「対象期間」と称する）は、動画再生用ページが表示された日の日付に基づいて決定される。例えば、対象期間の開始日は、動画再生用ページが表示された日から所定月数前であり、対象期間の終了日は、動画再生用ページが表示された日の前日である。なお、対象期間はユーザによって指定することができるようになっていても良い。
【００４２】
バー１３３の左端の位置が対象期間の開始日に対応し、バー１３３の右端の位置が対象期間の開始日に対応する。また、バー１３３は、対象期間において地図動画の再生位置に対応する月毎に色分け表示されており、スライドバー１３２には、バー１３３の色分けに対応して月毎に月名が表示される。なお、図２は、９月１日に動画再生用ページが表示され、６月１日から８月３１日までの３ヶ月を対象期間とした場合の例である。
【００４３】
ユーザが、再生ボタン１３１ａをクリック（選択）すると、地図動画の再生が開始される。そして、図３に示すように、動画表示領域１２０には、日本地図Ｍ上に複数のオブジェクトＪが表示される。
【００４４】
オブジェクトＪは、選択されたジャンルの商品の購買数による各都道府県のランキングを示す。具体的に、オブジェクトＪの色により、対象のジャンルが示される。また、オブジェクトＪの表示位置により、対象の都道府県が示される。また、オブジェクトＪの大きさ（表示サイズ）により、対象のジャンルにおいて、表示位置に対応する都道府県のランキングが示される。
【００４５】
ランキングは、ジャンルに属する商品の各都道府県における購買数を、その都道府県の居住者数で割った値（以下、「購買割合」と称する）の大きさで決定される。つまり、ランキングは、居住者１人あたりの購買数（成立数の一例）で決定される。ランキングに用いられる居住者数は、各都道府県に住んでいるＥＣサイトの会員数であっても良いし、各都道府県の人口であっても良い。また、ランキングに用いられる購買割合は、ランキングが示される日の前後所定日数までの移動平均値である。例えば、前後各３日間で移動平均値を求める場合、例えば７月２０日のランキングは、７月１７日から７月２３日までの７日間の購買割合の平均値に基づいて決定される。
【００４６】
オブジェクトＪは、第１位から所定順位までの都道府県に対してのみ表示される。そして、地図動画の再生が進むに従って、ランキングの変遷に応じて、オブジェクトＪの表示位置が変化したり、オブジェクトＪの大きさが変化したりする。なお、全都道府県に対してオブジェクトＪが表示されても良い。
【００４７】
例えば、図３に示すように、スライドバー１３２のバー１３３に対するノブ１３４の表示位置により、現在のランキングの対象となっている日が７月２０日頃であることが理解される。また、チェックボックス１２１ａのチェック状態が有効とされているため、ランキングの対象としてアイスクリームが選択されている。そのため、動画表示領域１２０には、アイスクリームに対応する色を有するオブジェクトＪａ１〜Ｊａ４が表示される。
【００４８】
オブジェクトＪａ１〜Ｊａ３は、それぞれ１個ずつ表示され、オブジェクトＪａ４は、７個ずつ表示されている。ランキングとして、オブジェクトＪａ１は第１位を示し、オブジェクトＪａ２は第２位を示し、オブジェクトＪａ３は第３位を示し、オブジェクトＪａ４は第４位〜第１０位を示す。オブジェクトＪａ１〜Ｊ４のうちオブジェクトＪａ１の大きさが最も大きく、オブジェクトＪａ２、Ｊａ３、Ｊａ４となるに従って、大きさが小さくなっていく。オブジェクトＪａ４は、全て同じ大きさである。
【００４９】
また、オブジェクトＪａ１内には、アイスクリームの画像が表示される。つまり、ランキングが第１位であることを示すオブジェクトＪは、対象となっているジャンルの一般的な商品のイメージをも示す。なお、他のオブジェクトＪ内にも、対象となっているジャンルの商品の画像が表示されても良い。
【００５０】
地図動画の再生中は、再生制御ボタン１３１として停止ボタン１３１ｂが表示される。ユーザは、停止ボタン１３１ｂをクリックすることによって、地図動画の再生を一時停止させることができる。また、ユーザは、ノブ１３４をドラッグしてノブ１３４を横方向に移動させることによって、地図動画の再生位置を変更することができる。また、ユーザが、動画表示領域１２０に表示されている何れかのオブジェクトＪに対してマウスオーバー（マウスポインタをオブジェクトＪの上に重ねる）すると、地図動画の再生が一時停止する。その後、オブジェクトＪに対するマウスオーバーが解除される（マウスポインタがオブジェクトＪから離れる）と、地図動画の再生が再開する。
【００５１】
また、ユーザは、チェックボックス１２１をクリックしてチェック状態を変更することにより、オブジェクトＪを表示させるジャンルを変更することができる。この変更操作は、地図動画の再生中及び停止中の何れの場合でも可能である。例えば、図４は、アイスクリームに加えて、蚊取り線香もオブジェクトＪの表示対象とした場合の例である。図４に示すように、動画表示領域１２０には、オブジェクトＪａ１〜Ｊａ４が表示されるとともに、蚊取り線香に対応する色を有するオブジェクトＪｂ１〜Ｊｂ４が表示される。ランキングとして、オブジェクトＪｂ１は第１位を示し、オブジェクトＪｂ２は第２位を示し、オブジェクトＪｂ３は第３位を示し、オブジェクトＪｂ４は第４位〜第１０位を示す。また、オブジェクトＪｂ１内には、蚊取り線香の画像が表示される。
【００５２】
ユーザは、動画表示領域１２０に表示された地図動画を見ることにより、選択したジャンルの商品がどの都道府県で良く購入されているか、及びその時期を、感覚的に明確に理解することができる。例えば、オブジェクトＪの外観（大きさ）を商品の購買数（または購買割合）に対応した外観にしたとする。購買数自体はジャンル等によって変動する場合があるので、オブジェクトＪの外観のみでは、どの都道府県で良く購入されているかを直ぐに判断することが難い場合がある。これに対し、オブジェクトＪの外観を、購買数によるランキングに対応した外観とすることで、どの都道府県で良く購入されているかを理解することが容易となる。
【００５３】
また、居住者１人あたりの購買数でランキングが決定されるので、ランキングが、居住者１人あたりの需要の程度や購買力、あるいは人気等に応じたものとなる。例えば、単純に購買数でランキングを決定すると、都道府県の人口によりその都道府県自身のランキングが左右される。商品の購入を検討するユーザとしては、人口の影響を受けたランキングよりも、需要の程度、購買力、人気等を示すようなランキングである方が好ましい場合がある。
【００５４】
また、ユーザは、地図動画から得られた情報に基づいて、ランキングの対象となっていたジャンルの商品を購入するか否かを決めることができる。例えば、東京に住んでいるユーザが、ユーザ自身が使用するための夏物の商品を探しているとする。地図動画では、東京で、夏物に属するあるジャンルのランキングが上位であることが示されている。これは、ユーザ自身と同じ地域に住んでいる人たちが、あるジャンルの商品を高い割合で購入しているということになるので、ユーザ自身も同じジャンルの商品を購入しようという動機付けになったりする。また、ランキングの変遷によって、東京のランキングが最近上がってきている場合は、そのジャンルの人気が上がってきたことを示しているので、そのジャンルの商品を購入しようという動機付けになる。また、ユーザは、複数のジャンルのオブジェクトＪを表示させることによって、東京におけるランキングをジャンル同士で比較することができる。そして、複数のジャンルのうち、ランキングが最も高いジャンルの商品を購入しようと決めることもできる。また、東京でのランキングが必ずしも高くはなくても、東京の近隣（例えば、神奈川や千葉等）でのランキングが高いジャンルが存在する場合、ユーザは、近いうちに東京での人気も上がるだろうと予測して、そのジャンルの商品を購入しようと決めることもできる。
【００５５】
また、例えば、東京に住んでいるユーザが、敬老の日にちなんで、福岡に住んでいる祖父母にプレゼントを購入しようと考えているとする。この場合、ユーザは、例えば、敬老の日用のプレゼントという季節カテゴリーから、購入する商品のジャンルを検討することができる。そして、ユーザは、福岡でのランキングが高いジャンルの商品を購入しようと決めることもできる。
【００５６】
図５は、商品情報ウインドウ１４０の画面表示例である。
【００５７】
ユーザが、地図動画の再生中または停止中に、動画表示領域１２０に表示されている何れかのオブジェクトＪをクリックすると、図５に示すように、商品情報ウインドウ１４０が、動画表示領域１２０の上に重なって表示される。このとき、地図動画の再生は一時停止される。なお、商品情報ウインドウ１４０は擬似的なウインドウであり、実際には、商品情報ウインドウ１４０は動画再生用ページ内に表示される。ここで、ユーザが商品情報ウインドウ１４０を閉じる操作を行ったり、再生ボタン１３１ａをクリックしたりすると、商品情報ウインドウ１４０が画面から消去され、地図動画の再生が再開される。
【００５８】
商品情報ウインドウ１４０には、クリックされたオブジェクトＪが対応する都道府県において、クリックされたオブジェクトＪが対応するジャンルに属する各商品を、その購買割合でランキングしたときに第１位となる商品（最も売れ筋の商品）の情報（商取引の対象の情報の一例）が表示される。この商品のランキングは、地図動画の現在の再生位置に対応する日における購買割合の移動平均値で決定される。商品情報ウインドウ１４０には、見出し１４１、商品画像１４２、商品説明１４３、ランキングリンク１４４が表示される。見出し１４１は、ランキングの対象となっている日の日付、都道府県、ランキングが第１位となった商品の商品名を示す。商品画像１４２は、ランキングが第１位となった商品の画像である。商品説明１４３は、例えば、商品の紹介、解説、内容、仕様等を示す文章である。ランキングリンク１４４は、商品のランキングの一覧を示すＷｅｂページ（以下、「ランキングページ」という）へのリンクである。
【００５９】
商品画像１４２は、画像リンクになっている。商品画像１４２がクリックされると、ランキングが第１位となっている商品を販売している店舗がＥＣサイトにおいて検索され、その検索結果の一覧（検索結果を示す情報の一例）を示すＷｅｂページ（以下、「検索結果ページ」と称する）が画面に表示される。
【００６０】
一方、ランキングリンク１４４がクリックされると、見出し１４１が示すジャンルに属する商品が検索され、検索された商品に対して、見出し１４１が示す都道府県における購買割合で順位付けが行われる。そして、ランキングの高い順に商品の情報を示すランキングページが画面に表示される。ランキングページには、例えば、各商品の順位、商品名、商品の画像等が表示される。そこで、ユーザが一覧の中から何れかの商品をクリックすると、その商品についての検索結果ページが画面に表示される。
【００６１】
なお、上述した例では、ランキングページは、都道府県における順位付けを示すものとして説明したが、例えば、図１にて示したＥＣサーバ２で管理する会員全体における順位付けを示しても良いし、予め定められたユーザ属性（年代／性別／職業別）における順位付けを示しても良いものとする。
【００６２】
検索結果ページに表示された一覧の中からユーザが何れかの店舗をクリックすると、その店舗における商品の情報が表示されるＷｅｂページ（以下、「商品ページ」と称する）が画面に表示される。そこで、ユーザは、所定の操作を行うことにより、ユーザが選択した商品を購入することができる。なお、商品画像１４２がクリックされたとき、または、ランキングページから商品がクリックされたとき、直接商品ページに遷移しても良い。
【００６３】
［２．情報提供サーバの構成］
次に、情報提供サーバ１の構成について、図６を用いて説明する。
【００６４】
図６は、本実施形態に係る情報提供サーバ１の概要構成の一例を示すブロック図である。
【００６５】
図６に示すように、情報提供サーバ１は、通信部１１と、記憶部１２と、入出力インターフェース１３と、システム制御部１４と、を備えている。そして、システム制御部１４と入出力インターフェース１３とは、システムバス１５を介して接続されている。
【００６６】
通信部１１は、ネットワークＮＷに接続して、ＥＣサーバ２やユーザ端末３等との通信状態を制御するようになっている。
【００６７】
記憶部１２（記憶手段及び居住者数情報記憶手段の一例）は、例えば、ハードディスクドライブ等により構成されている。この記憶部１２には、地図情報ＤＢ（データベース）１２ａ、ジャンルＤＢ１２ｂ、季節カテゴリーＤＢ１２ｃ、会員数ＤＢ１２ｄ、及び購買情報ＤＢ１２ｅが構築されている。
【００６８】
地図情報ＤＢ１２ａには、日本地図Ｍや各都道府県の情報が登録されている。具体的に、地図情報ＤＢ１２ａには、日本地図Ｍの画像データが登録されている。また、地図情報ＤＢ１２ａには、都道府県の識別情報である全国地方公共団体コード（以下、「団体コード」と称する）をキーとして、都道府県名及び都道府県の経度緯度の情報が登録されている。
【００６９】
ジャンルＤＢ１２ｂには、商品の各ジャンルに関する情報が登録されている。具体的に、ジャンルＤＢ１２ｂには、商品のジャンルの識別情報であるジャンルＩＤをキーとして、ジャンル名、ジャンルの商品の画像データが登録されている。また、ジャンルＤＢ１２ｂには、ジャンルＩＤをキーとして、ジャンルに属する商品のＪＡＮ（Japanese Article Number）コードが１つ以上登録されている。
【００７０】
季節カテゴリーＤＢ１２ｃには、季節カテゴリーに関する情報が登録されている。具体的に、季節カテゴリーＤＢ１２ｃには、季節カテゴリーの識別情報であるカテゴリーＩＤをキーとして、季節カテゴリーに属する商品のジャンルのジャンルＩＤが１つ以上登録されている。
【００７１】
会員数ＤＢ１２ｄには、ＥＣサイトの会員数が登録されている。具体的に、会員数ＤＢ１２ｄには、都道府県の団体コード及び日付をキーとして、会員数（居住者数情報の一例）が登録されている。この会員数は、キーの日付が示す日の時点において、キーの団体コードが示す都道府県に居住する会員の人数である。
【００７２】
購買情報ＤＢ１２ｅには、各商品及び各ジャンルの購買数に関する情報が登録されている。具体的に、購買情報ＤＢ１２ｅには、商品のＪＡＮコード、都道府県の団体コード及び日付をキーとして、購買数及び購買割合の移動平均値（取引情報の一例）が登録されている。この場合の購買数は、キーの日付に、キーの団体コードが示す都道府県において、キーのＪＡＮコードが示す商品が購入された数である。また、購買割合の移動平均値は、キーの日付を基準とした購買割合の移動平均値である。
【００７３】
また、購買情報ＤＢ１２ｅには、ジャンルＩＤ、都道府県の団体コード及び日付をキーとして、購買数及び購買割合の移動平均値（取引情報の一例）が登録されている。この場合の購買数は、キーの日付に、キーの団体コードが示す都道府県において、キーのジャンルＩＤが示すジャンルの商品が購入された数である。また、購買割合の移動平均値は、キーの日付を基準とした購買割合の移動平均値である。
【００７４】
会員数ＤＢ１２ｄ及び購買情報ＤＢ１２ｅは、例えば１日に１回、定期的に更新される。具体的に、ＥＣサーバ２から情報提供サーバ１に対して、前日の時点での各都道府県の会員数を含む情報が送信される。システム制御部１４は、受信した情報に含まれる各都道府県の会員数を、それぞれ団体コードと前日の日付とに対応付けて、会員数ＤＢ１２ｄに登録する。
【００７５】
続いて、ＥＣサーバ２から情報提供サーバ１に対して、前日における各都道府県の各商品の購買数の集計結果を含む情報が送信される。システム制御部１４は、受信した情報に含まれる各商品の購買数を、ＪＡＮコード、団体コード及び前日の日付に対応付けて購買情報ＤＢ１２ｅに登録する。次いで、システム制御部１４は、ジャンルＤＢ１２ｂを参照することにより、ジャンル毎に、前日の各都道府県における各商品の購買数の合計値を計算する。そして、システム制御部１４は、計算した合計値を、ジャンルＩＤ、団体コード及び前日の日付に対応付けて購買情報ＤＢ１２ｅに登録する。
【００７６】
また、システム制御部１４は、各商品の購買割合の移動平均値を、都道府県毎に計算する。昨日の日付をｙｄとし、前後各ｎ日間の移動平均値を計算する場合、システム制御部１４は、ｙｄ−ｎ、ｙｄ−ｎ＋１、ｙｄ−ｎ＋２・・・ｙｄの各日付について、それぞれ２×ｎ＋１日間の移動平均値を計算する。日付ｉにおけるある都道府県の会員数をＭｉとし、日付ｉにおけるその都道府県のある商品の購買数をＮｉとする。また、ｋ＝０，１，２・・・ｎとする。この場合、日付ｙｄ−ｋにおける購買割合の移動平均値ＭＡｙｄ−ｋは、以下の式（１）で計算することができる。
【００７７】
【数１】
2013167917.tif 000003
ここで、ｎ＋ｋ＋１は、移動平均値の算出に用いられるデータ（購買数）の個数である。つまり、日付ｙｄ−ｋにおける移動平均値は、実際には、日付ｙｄ−ｎ−ｋから日付ｙｄまでの、ｎ＋ｋ＋１日間の移動平均値となる。
【００７８】
今日以降の購買数がまだ購買情報ＤＢ１２ｅに登録されていないため、実際に２×ｎ＋１日間の移動平均値を計算することができるのは、日付ｙｄ−ｎについてのみであり、日付ｙｄ−ｎ＋１以降については、２×ｎ＋１日未満の移動平均値が計算される。
【００７９】
次に具体例を示す。ｎ＝３とし、昨日の日付ｙｄ＝７月２０日とする。この場合、７月１７日（ｋ＝ｎ＝３の場合）、７月１８日（ｋ＝２の場合）、７月１９日（ｋ＝１の場合）、７月２０日（ｋ＝０の場合）の各日付について、移動平均値が計算される。具体的に、７月１７日に関しては、７月１４日〜２０日までの７日間の移動平均値が計算される。７月１８日に関しては、７月１５日〜２０日までの６日間の移動平均値が計算される。７月１９日に関しては、７月１６日〜２０日までの５日間の移動平均値が計算される。７月２０日に関しては、７月１７日〜２０日までの４日間の移動平均値が計算される。
【００８０】
システム制御部１４は、計算した各移動平均値を、ＪＡＮコード、団体コード及びその日付に対応付けて購買情報ＤＢ１２ｅに登録する。なお、日付ｙｄについての移動平均値は新規登録となり、日付ｙｄ−ｎ〜日付ｙｄ−１についての移動平均値は上書き登録となる。
【００８１】
また、システム制御部１４は、各ジャンルの購買割合の移動平均値を、商品の場合と同様にして都道府県毎に計算し、計算した各移動平均値を、ジャンルＩＤ、団体コード及び日付に対応付けて購買情報ＤＢ１２ｅに登録する。
【００８２】
記憶部１２には、また、Ｗｅｂページを構成するＨＴＭＬ文書、ＸＭＬ（Extensible Markup Language）文書、画像データ、テキストデータ等の各種データが記憶されている。
【００８３】
例えば、動画再生用ページのＨＴＭＬ文書には、地図動画を再生するためのobjectタグ、paramタグ、embedタグ等が記述されている。そして、動画再生用ページのＨＴＭＬ文書には、地図動画データのＵＲＬや、再生に用いられる動画再生プログラムの指定等が記述されている。なお、ＨＴＭＬ文書がＨＴＭＬ５に準拠して記述されても良く、この場合、動画再生用ページのＨＴＭＬ文書には、videoタグ等が記述される。
【００８４】
動画再生用ページのＨＴＭＬ文書には、更に、JavaScript（登録商標）等で記述された動画再生用スクリプトが記述されている。この動画再生用スクリプトは、ユーザ操作に応じて、動画再生プログラムによる地図動画の再生の制御を補助したり、情報提供サーバ１にリクエストを送信したり、商品情報ページ１４０を表示したりするためのスクリプトである。
【００８５】
また、記憶部１２には、オペレーティングシステム及びＷＷＷ（World Wide Web）サーバプログラムが記憶されている。また、記憶部１２には、地図動画データを生成してユーザ端末３に送信するためのサーバプログラムが記憶されている。なお、このサーバプログラムは、例えば、他のサーバ装置等からネットワークＮＷを介して取得されるようにしても良いし、ＤＶＤ（Digital Versatile Disc）等の記録媒体に記録されてドライブ装置を介して読み込まれるようにしても良い。
【００８６】
入出力インターフェース１３は、通信部１１及び記憶部１２とシステム制御部１４との間のインターフェース処理を行うようになっている。
【００８７】
システム制御部１４は、ＣＰＵ（Central Processing Unit）１４ａ、ＲＯＭ（Read Only Memory）１４ｂ、ＲＡＭ（Random Access Memory）１４ｃ等により構成されている。そして、システム制御部１４は、ＣＰＵ１４ａが、ＲＯＭ１４ｂや記憶部１２に記憶されたサーバプログラムを読み出し実行することにより、本発明における順位付け手段、制御手段、取得手段及び商取引対象順位付け手段として機能する。
【００８８】
［３．ＥＣサーバの構成］
次に、ＥＣサーバ２の構成について、図７を用いて説明する。
【００８９】
図７は、本実施形態に係るＥＣサーバ２の概要構成の一例を示すブロック図である。
【００９０】
図７に示すように、ＥＣサーバ２は、通信部２１と、記憶部２２と、入出力インターフェース２３と、システム制御部２４と、を備えている。そして、システム制御部２４と入出力インターフェース２３とは、システムバス２５を介して接続されている。
【００９１】
通信部２１は、ネットワークＮＷに接続して、情報提供サーバ１やユーザ端末３等との通信状態を制御するようになっている。
【００９２】
記憶部２２は、例えば、ハードディスクドライブ等により構成されている。この記憶部２２には、会員情報ＤＢ２２ａ、商品ＤＢ２２ｂ及び履歴ＤＢ２２ｃが構築されている。
【００９３】
会員情報ＤＢ２２ａには、情報提供システムＳに会員登録されたユーザに関する情報が登録されている。具体的に、会員情報ＤＢ２２ａには、ユーザの識別情報であるユーザＩＤをキーとして、パスワード、氏名または名称、生年月日、性別、住所、電話番号、メールアドレス等が登録されている。
【００９４】
商品ＤＢ２２ｂには、ＥＣサイトにおいて店舗により販売されている商品に関する情報が登録されている。具体的に、商品ＤＢ２２ｂには、店舗の識別情報である店舗ＩＤ、店舗が販売する商品としての商品の識別情報である商品ＩＤをキーとして、商品のＪＡＮコード、商品が属するジャンルのジャンルＩＤ、商品名、価格、商品の紹介等を含む商品の情報、商品の画像、商品ページを構成するＨＴＭＬ文書やＸＭＬ文書、在庫数及び広告コンテンツ等が登録されている。
【００９５】
履歴ＤＢ２２ｃには、ＥＣサイトにおける商品の購入履歴が登録されている。具体的に、履歴ＤＢ２２ｃには、購入日時、購入したユーザのユーザＩＤ及び住所、購入先の店舗の店舗ＩＤ、購入された商品の商品ＩＤ及びＪＡＮコード、商品の購買数及び購入価格、商品の送付先の住所等が登録されている。
【００９６】
なお、情報提供サーバ１は、ＥＣサーバ２に対してリクエストを送信することにより、会員情報ＤＢ２２ａ、商品ＤＢ２２ｂ及び履歴ＤＢ２２ｃに登録されている情報を取得することができる。
【００９７】
また、記憶部２２には、ＥＣサイトにおけるＷｅｂページを構成するＨＴＭＬ文書、ＸＭＬ文書、画像データ、テキストデータ等の各種データが記憶されている。
【００９８】
また、記憶部２２には、オペレーティングシステム及びＷＷＷサーバプログラムが記憶されている。
【００９９】
入出力インターフェース２３は、通信部２１及び記憶部２２とシステム制御部２４との間のインターフェース処理を行うようになっている。
【０１００】
システム制御部２４は、ＣＰＵ２４ａ、ＲＯＭ２４ｂ、ＲＡＭ２４ｃ等により構成されている。そして、システム制御部２４は、ＣＰＵ２４ａが、ＲＯＭ２４ｂや記憶部２２に記憶された各種プログラムを読み出し実行することにより、ＥＣサーバ２の各部を制御するようになっている。
【０１０１】
システム制御部２４は、例えば１日に１回、ＥＣサイトの会員数及び商品の購買数を集計し、その集計結果の情報を情報提供サーバ１に送信する。例えば、システム制御部２４は、会員情報ＤＢ２２ａから各ユーザの住所を取得して、都道府県毎の会員数を計算する。そして、システム制御部２４は、各都道府県の会員数を団体コードと対応付けて、情報提供サーバ１に送信する。
【０１０２】
また、システム制御部２４は、履歴ＤＢ２２ｃから前日の購入履歴を取得して、取得した購入履歴に基づき、商品を購入したユーザが居住する都道府県毎に、各商品の購買数を計算する。そして、システム制御部２４は、各購買数を、団体コード及び商品ＩＤと対応付けて情報提供サーバ１に送信する。なお、システム制御部２４は、商品の送付先の都道府県毎に各商品の購買数を計算しても良い。
【０１０３】
［４．ユーザ端末の構成］
次に、ユーザ端末３の構成について、図８を用いて説明する。
【０１０４】
図８は、本実施形態に係るユーザ端末３の概要構成の一例を示すブロック図である。
【０１０５】
図８に示すように、ユーザ端末３は、通信部３１と、記憶部３２と、表示部３３と、操作部３４と、ドライブ部３５と、入出力インターフェース３６と、システム制御部３７と、を備えている。そして、システム制御部３７と入出力インターフェース３６とは、システムバス３８を介して接続されている。
【０１０６】
通信部３１は、ネットワークＮＷ等に接続して、情報提供サーバ１やＥＣサーバ２等との通信状態を制御するようになっている。
【０１０７】
記憶部３２は、例えば、ハードディスクドライブまたはフラッシュメモリ等により構成されている。この記憶部３２には、オペレーティングシステムが記憶されている。また、記憶部３２には、Ｗｅｂページを表示するためのブラウザ、動画データを再生するための動画再生プログラム等のアプリケーションプログラムが記憶されている。
【０１０８】
表示部３３は、例えば、液晶ディスプレイ等により構成されており、文字や画像等の情報を表示するようになっている。
【０１０９】
操作部３４は、例えば、キーボード及びマウス、あるいは、キー、タッチパネル等により構成されており、ユーザからの操作指示を受け付け、その指示内容を指示信号としてシステム制御部３７に出力するようになっている。
【０１１０】
ドライブ部３５は、ＤＶＤやメモリカード等のディスクＤＫからデータ等を読み出す一方、当該ディスクＤＫに対してデータ等を記録するようになっている。
【０１１１】
入出力インターフェース３６は、通信部３１〜ドライブ部３５とシステム制御部３７との間のインターフェース処理を行うようになっている。
【０１１２】
システム制御部３７は、ＣＰＵ３７ａ、ＲＯＭ３７ｂ、ＲＡＭ３７ｃ等により構成されている。そして、システム制御部３７は、ＣＰＵ３７ａが、ＲＯＭ３７ｂや記憶部３２に記憶された各種プログラムを読み出し実行することによりユーザ端末３の各部を制御するようになっている。
【０１１３】
［５．情報提供システムの動作］
次に、情報提供システムＳの動作について、図９及び図１０を用いて説明する。
【０１１４】
図９は、本実施形態に係る情報提供サーバ１のシステム制御部１４における処理例を示すフローチャートである。
【０１１５】
ユーザ端末３は、ユーザ操作に基づいて情報提供サーバ１にアクセスし、これに応じて情報提供サーバ１は、情報提供サイトのＷｅｂページをユーザ端末３に送信する。ユーザは、ユーザ端末３の表示部３３に表示されたＷｅｂページに基づいて、商品の購入を検討する季節カテゴリーを選択する。すると、ユーザ端末３は、選択された季節カテゴリーのカテゴリーＩＤを設定した動画再生用ページのリクエストを、情報提供サーバ１に送信する。図９に示す処理は、情報提供サーバ１が動画再生用ページのリクエストを受信したときに開始される。
【０１１６】
先ず、システム制御部１４は、受信したリクエストから、選択された季節カテゴリーのカテゴリーＩＤを取得する（ステップＳ１１）。次いで、システム制御部１４は、選択された季節カテゴリーに属するジャンルの情報を取得する（ステップＳ１２）。具体的に、システム制御部１４は、取得したカテゴリーＩＤに対応する各ジャンルＩＤを、季節カテゴリーＤＢ１２ｃから取得する。そして、システム制御部１４は、取得した各ジャンルＩＤに対応するジャンル名、ジャンルの商品の画像データ、ジャンルに属する商品のＪＡＮコードを、ジャンルＤＢ１２ｂから取得する。
【０１１７】
次いで、システム制御部１４は、選択された季節カテゴリーに属する各ジャンルのチェック状態を初期設定する（ステップＳ１３）。このチェック状態は、動画表示領域１２０に表示されるチェックボックス１２１のチェック状態である。具体的に、システム制御部１４は、１つのジャンルのチェック状態を有効とし、その他のジャンルのチェック状態を無効とする。
【０１１８】
次いで、システム制御部１４は、動画再生用ページのＨＴＭＬ文書をユーザ端末３に送信する（ステップ１４）。このとき、システム制御部１４は、選択された季節カテゴリーに属する各ジャンルに対応するチェックボックス１２１及びその見出しが、動画再生用ページの動画表示領域１２０に表示されるように、動画再生用ページのＨＴＭＬ文書を書き換えて送信する。
【０１１９】
ユーザ端末３は、情報提供サーバ１から受信したＨＴＭＬ文書の記述に基づいて、動画再生画面１００を含む動画再生用ページを表示部３３に表示するとともに、動画再生プログラムを起動する。そして、ユーザ端末３は、情報提供サーバ１に、地図動画データのリクエストを送信する。
【０１２０】
システム制御部１４は、地図動画データのリクエストを受信すると、地図動画データを構成するフレーム画像データを１つ生成する。ここで、システム制御部１４は、オブジェクトＪが配置されていない日本地図Ｍのみが描かれたフレーム画像データを生成し、生成したフレーム画像データをユーザ端末３に送信する。
【０１２１】
ユーザ端末３は、受信したフレーム画像データに基づいて、フレーム画像を動画再生画面１００の動画表示領域１２０に表示する。これにより、図２に示すような動画再生画面１００が表示される。
【０１２２】
次いで、システム制御部１４は、処理対象日として、今日の日付から所定月数前の日を設定する（ステップＳ１５）。次いで、システム制御部１４は、地図動画の再生状態として、停止中を設定する（ステップＳ１６）。再生状態には、停止中と再生中とがある。次いで、システム制御部１４は、後述するリクエスト対応処理を実行する（ステップＳ１７）。ユーザ端末３において、再生制御ボタン１３１のクリック、オブジェクトＪへのクリック等のユーザ操作が行われると、リクエスト対応処理において再生状態が変更される。
【０１２３】
次いで、システム制御部１４は、再生状態が再生中であるか否かを判定する（ステップＳ１８）。このとき、システム制御部１４は、再生状態が再生中ではないと判定した場合には（ステップＳ１８：ＮＯ）、ステップＳ１７に移行する。つまり、システム制御部１４は、ユーザが地図動画の再生操作を行うまで、リクエスト対応処理を実行する。
【０１２４】
一方、システム制御部１４は、再生状態が再生中であると判定した場合には（ステップＳ１８：ＹＥＳ）、フレーム画像データの生成及び送信を行う。先ず、システム制御部１４は、日本地図ＭのビットマップイメージをＲＡＭ３７ｂの所定の領域に展開する（ステップＳ１９）。
【０１２５】
次いで、システム制御部１４は、選択された季節カテゴリーに属するジャンルのうち、チェック状態が有効にされているジャンルを１つ特定する（ステップＳ２０）。次いで、システム制御部１４は、特定したジャンルの商品の現在の処理対象日における各都道府県の購買割合の移動平均値を取得する（ステップＳ２１）。具体的に、システム制御部１４は、特定したジャンルのジャンルＩＤ及び処理対象日に対応する移動平均値を、購買情報ＤＢ１２ｅから取得する。
【０１２６】
次いで、システム制御部１４は、順位付け手段として、取得した移動平均値が高い順に、各都道府県を順位付けて、ランキングを決定する（ステップＳ２２）。
【０１２７】
次いで、システム制御部１４は、フレーム画像データを１つ生成する（ステップＳ２３）。具体的に、システム制御部１４は、都道府県毎に、それぞれのランキングに対応するオブジェクトＪの大きさを決定する。また、システム制御部１４は、各オブジェクトＪの色を、特定したジャンルに対応する色とする。そして、システム制御部１４は、決定された大きさのオブジェクトＪを、日本地図Ｍのビットマップイメージ上に描画する。このとき、システム制御部１４は、地図情報ＤＢ１２ａに登録されている経度緯度の情報に基づいて、各オブジェクトＪの表示位置を決定する。つまり、システム制御部１４は、オブジェクトＪが、地図上においてそのオブジェクトＪがランキングを示す都道府県の所在する位置に表示されるようにする。また、システム制御部１４は、ランキングが第１位の都道府県については、特定したジャンルの商品の画像を含むオブジェクトＪを描画する。また、システム制御部１４は、ランキングが第１位から所定順位までの都道府県についてのみオブジェクトＪを描画する。
【０１２８】
次いで、システム制御部１４は、チェック状態が有効にされているジャンルを全て特定したか否かを判定する（ステップＳ２４）。このとき、システム制御部１４は、未だ特定していないジャンルが存在すると判定した場合には（ステップＳ２４：ＮＯ）、未だ特定していないジャンルを１つ特定して（ステップＳ２５）、ステップＳ２１に移行する。
【０１２９】
システム制御部１４は、ステップＳ２１〜Ｓ２３の処理を繰り返すことにより、チェック状態が有効にされている各ジャンルに対応するオブジェクトＪを、日本地図Ｍのビットマップイメージ上に描画する。
【０１３０】
そして、システム制御部１４は、チェック状態が有効にされているジャンルを全て特定したと判定した場合には（ステップＳ２４：ＹＥＳ）、オブジェクトＪが描画された日本地図Ｍのビットマップイメージを、フレーム画像データとしてユーザ端末３に送信する（ステップＳ２６）。
【０１３１】
ユーザ端末３は、情報提供サーバ１から受信したフレーム画像データに基づいて描画処理を行うことにより、図３や図４に示すように、処理対象日が示す日の時点でのランキングを示すフレーム画像を動画表示領域１２０に表示する。このようにして、システム制御部１４は、制御手段として、購買割合によるランキングを示すオブジェクトＪが配置された日本地図Ｍを、ユーザ端末３により表示させる。
【０１３２】
次いで、システム制御部１４は、処理対象日に１を加算して、処理対象日を更新する（ステップＳ２７）。次いで、システム制御部１４は、処理対象日が、今日の日付と同日であるか否かを判定する（ステップＳ２８）。このとき、システム制御部１４は、処理対象日が今日の日付と同日ではないと判定した場合には（ステップＳ２８：ＮＯ）、ステップＳ１７に移行する。
【０１３３】
システム制御部１４は、ステップＳ１７〜Ｓ２７の処理を繰り返すことにより、１日単位で、その日の時点での各都道府県の購買割合のランキングを示すフレーム画像データを順次生成しながら、フレーム画像データをユーザ端末３に送信する。
【０１３４】
ユーザ端末３は、情報提供サーバ１から順次受信した各フレーム画像データに基づいて順次描画処理を行う。これにより、各都道府県の購買割合によるランキングの変遷に応じてオブジェクトＪが変化する地図動画が、動画表示領域１２０に表示される。
【０１３５】
そして、システム制御部１４は、処理対象日が今日の日付と同日であると判定した場合には（ステップＳ２８：ＹＥＳ）、図９に示す処理を終了させる。
【０１３６】
図１０は、本実施形態に係る情報提供サーバ１のシステム制御部１４におけるリクエスト対応処理の処理例を示すフローチャートである。
【０１３７】
図１０に示すように、システム制御部１４は、ユーザ端末３からチェック状態変更リクエストを受信したか否かを判定する（ステップＳ５１）。ユーザ端末３は、ユーザ操作によって動画表示領域１２０のチェックボックス１２１のチェック状態が変更されたときに、チェック状態変更リクエストを送信する。このチェック状態変更リクエストには、変更後における各ジャンルに対応するチェック状態が、ユーザ端末３によって設定される。
【０１３８】
システム制御部１４は、チェック状態変更リクエストを受信したと判定した場合には（ステップＳ５１：ＹＥＳ）、情報提供サーバ１で保持しているチェック状態を、チェック状態変更リクエストに設定されているチェック状態に変更する（ステップＳ５２）。システム制御部１４は、ステップＳ５２の処理を終えると、リクエスト対応処理を終了させる。
【０１３９】
一方、システム制御部１４は、チェック状態変更リクエストを受信しなかったと判定した場合には（ステップＳ５１：ＮＯ）、ユーザ端末３から再生リクエストを受信したか否かを判定する（ステップＳ５３）。ユーザ端末３は、再生ボタン１３１ａがクリックされたとき等に、再生リクエストを送信する。
【０１４０】
このとき、システム制御部１４は、再生リクエストを受信したと判定した場合には（ステップＳ５３：ＹＥＳ）、再生状態を再生中に変更する（ステップＳ５４）。システム制御部１４は、ステップＳ５４の処理を終えると、リクエスト対応処理を終了させる。
【０１４１】
一方、システム制御部１４は、再生リクエストを受信しなかったと判定した場合には（ステップＳ５３：ＮＯ）、ユーザ端末３から停止リクエストを受信したか否かを判定する（ステップＳ５５）。ユーザ端末３は、停止ボタン１３１ｂがクリックされたとき等に、停止リクエストを送信する。
【０１４２】
このとき、システム制御部１４は、停止リクエストを受信したと判定した場合には（ステップＳ５５：ＹＥＳ）、再生状態を停止中に変更する（ステップＳ５６）。システム制御部１４は、ステップＳ５６の処理を終えると、リクエスト対応処理を終了させる。
【０１４３】
一方、システム制御部１４は、停止リクエストを受信しなかったと判定した場合には（ステップＳ５５：ＮＯ）、ユーザ端末３から商品情報リクエストを受信したか否かを判定する（ステップＳ５７）。ユーザ端末３は、動画表示領域１２０がクリックされたときに、商品情報リクエストを送信する。この商品情報リクエストには、動画表示領域１２０内においてクリックされた位置の座標（特定情報の一例）が、ユーザ端末３によって設定される。
【０１４４】
システム制御部１４は、取得手段として商品情報リクエストを受信したと判定した場合には（ステップＳ５７：ＹＥＳ）、何れかのオブジェクトＪがクリックされたか否かを判定する（ステップＳ５８）。具体的に、システム制御部１４は、商品情報リクエストに設定されている座標と、地図情報ＤＢ１２ａに登録されている経度緯度の情報とに基づいて、クリックされた位置に対応する都道府県を特定する。次いで、システム制御部１４は、特定した都道府県について、チェック状態が有効とされている各ジャンルにおけるランキングを取得する。次いで、システム制御部１４は、ランキングに基づいて、各ジャンルに対応するオブジェクトＪの表示態様（オブジェクトＪが表示されているか否か、オブジェクトＪの大きさ）を判断する。そして、システム制御部１４は、クリックされた位置の座標、特定した都道府県の経度緯度の情報及び各オブジェクトＪの表示態様に基づいて、何れかのオブジェクトＪがクリックされたか否かを判定する。
【０１４５】
このとき、システム制御部１４は、何れかのオブジェクトＪがクリックされていないと判定した場合には（ステップＳ５８：ＮＯ）、リクエスト対応処理を終了させる。
【０１４６】
一方、システム制御部１４は、何れかのオブジェクトＪがクリックされたと判定した場合には（ステップＳ５８：ＹＥＳ）、再生状態を停止中に変更する（ステップＳ５９）。
【０１４７】
次いで、システム制御部１４は、クリックされたオブジェクトＪに対応するジャンル及び都道府県を特定する（ステップＳ６０）。
【０１４８】
次いで、システム制御部１４は、特定したジャンルに属する商品を検索する（ステップＳ６１）。具体的に、システム制御部１４は、特定したジャンルのジャンルＩＤに対応する商品のＪＡＮコードを、ジャンルＤＢ１２ｂから検索する。
【０１４９】
次いで、システム制御部１４は、特定した都道府県の現在の処理対象日について、検索された各商品の購買割合の移動平均値を取得する（ステップＳ６２）。具体的に、システム制御部１４は、特定した都道府県の団体コード、現在の処理対象日及び検索された商品のＪＡＮコードに対応する移動平均値を、購買情報ＤＢ１２ｅから取得する。
【０１５０】
次いで、システム制御部１４は、商取引対象順位付け手段として、取得した移動平均値が高い順に、検索した各商品を順位付けて、ランキングを決定する（ステップＳ６３）。
【０１５１】
次いで、システム制御部１４は、検索された商品のうちランキングが第１位の商品の情報を、ユーザ端末３に送信する（ステップＳ６４）。具体的に、システム制御部１４は、ランキングが第１位の商品の商品名、画像データ、商品説明、現在の処理対象日等を含む商品情報をユーザ端末３に送信する。システム制御部１４は、ステップＳ６４の処理を終えると、リクエスト対応処理を終了させる。
【０１５２】
ユーザ端末３は、情報提供サーバ１から受信した商品情報に基づいて、図５に示すように、商品情報ウインドウ１４０を表示部３３に表示する。
【０１５３】
ステップＳ５７において、システム制御部１４は、商品情報リクエストを受信しなかったと判定した場合には（ステップＳ５７：ＮＯ）、ユーザ端末３からランキングページリクエストを受信したか否かを判定する（ステップＳ６５）。ユーザ端末３は、商品情報ウインドウ１４０内のランキングリンク１４４がクリックされたときに、ランキングページリクエストを送信する。
【０１５４】
このとき、システム制御部１４は、ランキングページリクエストを受信しなかったと判定した場合には（ステップＳ６５：ＮＯ）、リクエスト対応処理を終了させる。
【０１５５】
一方、システム制御部１４は、ランキングページリクエストを受信したと判定した場合には（ステップＳ６５：ＹＥＳ）、ランキングページのＨＴＭＬ文書をユーザ端末３に送信する（ステップＳ６６）。現在ユーザ端末３により表示されている商品情報ウインドウ１４０に対応する都道府県及びジャンルについての各商品の購買割合のランキングは、ステップＳ６３の処理で既に決定されている。そこで、システム制御部１４は、このランキングの結果に基づいて、ランキングページのＨＴＭＬ文書を生成し、生成したＨＴＭＬ文書を送信する。システム制御部１４は、ステップＳ６５の処理を終えると、リクエスト対応処理を終了させる。
【０１５６】
ユーザ端末３は、情報提供サーバ１から受信したＨＴＭＬ文書に基づいて、ランキングページを表示部３３に表示する。
【０１５７】
以上説明したように、本実施形態によれば、情報提供サーバ１のシステム制御部１４が、購買情報ＤＢ１２ｅに登録された各都道府県の購買数の情報（購買割合の移動平均値）に基づいて、システム制御部１４によって定められたジャンルまたはユーザによって定められたジャンルに属する商品の購買数に応じて各都道府県に順位を付け、順位が付けられた都道府県の当該順位を示すオブジェクトＪが配置された日本地図Ｍを、ユーザ端末３に表示させる。従って、ユーザは、表示されたオブジェクトＪが示す順位により、各都道府県において他の都道府県と比較した購買数の多寡を、明確に理解することができる。
【０１５８】
また、システム制御部１４が、購買情報ＤＢ１２ｅに登録された購買数の履歴としての各日付に対応する購買数に基づいて、各日付の時点での順位を各都道府県に付け、当該順位の変遷に応じてオブジェクトＪが変化する日本地図Ｍの動画を、ユーザ端末３に表示させる。従って、日本地図Ｍに配置されたオブジェクトＪが、時間が経過するに従って変化することにより、商品の購買数に応じた順位の変遷が示される。そのため、ユーザは、各都道府県における購買数の多寡の変遷を容易に理解することができる。
【０１５９】
また、システム制御部１４が、購買情報ＤＢ１２ｅに登録された購買数の情報と会員数ＤＢ１２ｄに登録された居住者数の情報とに基づいて、予め定められたジャンルにおける単位居住者数あたりの購買数に応じて各都道府県に順位を付ける。従って、表示されたオブジェクトＪにより、単位居住者数あたりの購買数に応じた都道府県の順位が示される。そのため、ユーザは、居住者数の多寡の影響を無くした状態で、各都道府県における購買数の多寡を理解することができる。
【０１６０】
また、システム制御部１４が、ユーザ端末３により表示されたオブジェクトＪがユーザによりクリックされた場合に、クリックされたオブジェクトＪの表示位置を示す座標をユーザ端末３から取得し、取得された座標により特定される都道府県の購買数に基づいて、クリックされたオブジェクトＪに対応するジャンルに属する商品のうち、当該都道府県において購買数が最も多い商品の情報を示す商品情報ウインドウ１４０を、ユーザ端末３に表示させる。従って、情報が表示された商品を購入する動機付けをユーザに与えることができる。
【０１６１】
また、システム制御部１４が、クリックされたオブジェクトＪの表示位置を示す座標により特定される都道府県の購買数に基づいて、購買数に応じてジャンルに属する各商品に順位を付け、ジャンルに属する商品をその順位に対応して一覧として示すランキングページを、ユーザ端末３に表示させる。従って、ランキングページに掲載された順位に基づいて、ユーザは、購入する商品を決めることができる。
【０１６２】
また、システム制御部１４が、クリックされたオブジェクトＪの表示位置を示す座標により特定されるジャンルに属する商品を検索し、検索結果を示すランキングページを、ユーザ端末３に表示させる。従って、ユーザは、選択したジャンルに属する商品の中から、購入する商品を決めることができる。
【０１６３】
また、システム制御部１４が、日本地図Ｍに配置されるオブジェクトＪのうち少なくとも１つのオブジェクトＪを、購買数に応じた順位及びジャンルの商品のイメージを示すオブジェクトとしてユーザ端末３に表示させる。従って、順位が付けられている対象となっているジャンルを、ユーザが容易に理解することができる。
【０１６４】
なお、上記実施形態においては、商品を購入する側のユーザの端末装置により地図動画を再生させるものとして説明していたが、商品を販売する側の店舗等の端末装置により地図動画を再生させても良い。
【０１６５】
また、上記実施形態においては、本発明の地域を都道府県に適用し、都道府県単位で順位付け及びオブジェクトＪの表示が行われていたが、例えば、本発明の地域を市区町村に適用しても良い。また、地図の表示範囲は日本全体ではなく、例えば、特定の都道府県であっても良い。
【０１６６】
また、上記実施形態においては、情報提供サーバ１が、購買割合の移動平均値で各地域の順位付けを行っていたが、例えば、移動平均値を計算しないで順位付けを行っても良いし、居住者数で除算しないで単純に購買数で順位付けを行っても良い。
【０１６７】
また、上記実施形態においては、本発明の商取引の対象を商品に適用し、商品の購買数に応じて各地域に順位を付けていたが、本発明の商取引の対象をサービスに適用し、サービスの利用の予約数に応じて各地域に順位を付けても良い。例えば、サービスを宿泊施設の提供に適用し、予約された部屋数を予約数とする。宿泊施設のジャンルとしては、例えば、ビジネスホテル、高級ホテル、リゾートホテル、温泉旅館、ペンション、民宿、ロッジ、貸別荘等がある。宿泊施設の季節カテゴリーとしては、例えば、夏のレジャーに利用する宿泊施設、ウインタースポーツに利用する宿泊施設、クリスマスに過ごす宿泊施設等がある。また、地域毎の予約数を、その地域の居住者によって予約された数とするのではなく、その地域に所在する宿泊施設が予約された数としても良い。そして、情報提供サーバ１は、例えば、ユーザに選択されたジャンルに属する宿泊施設の予約数に応じて各地域に順位を付け、順位が付けられた地域の当該順位を示すオブジェクトが配置された地図を、ユーザ端末３に表示させる。これにより、ユーザが選択したジャンルに属する宿泊施設のうち、どの地域の宿泊施設が良く予約されているかをユーザが容易に理解することができる。
【０１６８】
また、商品のジャンルが、オブジェクトの大きさ、模様または形状によって示されても良いし、購買割合が、オブジェクトの色、模様または形状によって示されても良い。
【０１６９】
また、上記実施形態においては、１日単位でランキングが変化するように地図動画データが生成されていたが、例えば、１週間単位、１０日単位等でランキングが変化するように地図動画データが生成されても良い。
【０１７０】
また、情報提供サーバ１とＥＣサーバ２とを一体のサーバ装置として構成しても良い。また、データベース管理サーバを別途設け、データベース管理サーバが、地図情報ＤＢ１２ａ、ジャンルＤＢ１２ｂ、季節カテゴリーＤＢ１２ｃ、会員数ＤＢ１２ｄ、購買情報ＤＢ１２ｅ、会員情報ＤＢ２２ａ、商品ＤＢ２２ｂ及び履歴ＤＢ２２ｃを管理しても良い。この場合、情報提供サーバ１は、地図動画データの生成に必要な情報を、データベース管理サーバから取得し、記憶部１２またはＲＡＭ３７ｃに一時的に記憶させて使用する。
【０１７１】
また、上記実施形態においては、ユーザ端末３が情報提供サーバ１から動画データを受信して再生処理を行うことによって、各地域のランキングの変遷を表示していたが、ユーザ端末３が動画データ以外のデータを用いてランキングの変遷を表示しても良い。例えば、オブジェクトが配置された地図の静止画像を表示するための所定の領域を有するＷｅｂページをユーザ端末３に表示させる。そして、ユーザ端末３は、Ajax（Asynchronous JavaScript（登録商標） + XML）等により、情報提供サーバ１に対して所定時間間隔でリクエストを送信することにより、オブジェクトが配置された地図の静止画像のデータを情報提供サーバ１から順次取得し、Ｗｅｂページ内の所定の領域に、オブジェクトが配置された地図の静止画像を所定時間間隔で順次表示する。これによって、ランキングの変遷を表示することができる。また、例えば、ユーザ端末３が情報提供サーバ１から地図の静止画像のデータを取得して、Ｗｅｂページ内に地図の静止画像を表示する。そして、ユーザ端末３は、情報提供サーバ１から、各地域のランキングに対応するオブジェクトの大きさ等の情報、各地域の経度緯度に対応するオブジェクトの表示位置等の情報を取得し、これらの情報に基づいて、Ｗｅｂページ内の地図の静止画像上にオブジェクトを表示しても良い。
【０１７２】
また、上記実施形態においては、情報提供サーバ１が、各地域のランキングの変遷を示す地図の動画をユーザ端末３に表示させるようにしていたが、例えば、一時点のみの各地域のランキングを示す地図の静止画像をユーザ端末３に表示させるようにしても良い。
【符号の説明】
【０１７３】
１  情報提供サーバ
２  ＥＣサーバ
３  ユーザ端末
１１  通信部
１２  記憶部
１２ａ  地図情報ＤＢ
１２ｂ  ジャンルＤＢ
１２ｃ  季節カテゴリーＤＢ
１２ｄ  会員数ＤＢ
１２ｅ  購買情報ＤＢ
１３  入出力インターフェース
１４  システム制御部
１４ａ  ＣＰＵ
１４ｂ  ＲＯＭ
１４ｃ  ＲＡＭ
１５  システムバス
２２ａ  会員情報ＤＢ
２２ｂ  商品ＤＢ
２２ｃ  履歴ＤＢ
ＮＷ  ネットワーク
Ｓ  情報提供システム
【図１】
2013167917.tif 000004
【図２】
2013167917.tif 000005
【図３】
2013167917.tif 000006
【図４】
2013167917.tif 000007
【図５】
2013167917.tif 000008
【図６】
2013167917.tif 000009
【図７】
2013167917.tif 000010
【図８】
2013167917.tif 000011
【図９】
2013167917.tif 000012
【図１０】
2013167917.tif 000013